(57)【要約】【課題】循環ポンプの巻線温度を抑制した安価な洗濯機を提供すること。【解決手段】外箱２内方に揺動自在に支持された水槽７と、水槽７内部に回転自在に配した周壁に多数の小孔を有する洗濯兼脱水槽８と、水槽７内部の洗濯水を処理するポンプ１７とを備え、ポンプ１７は、回転ランナー２３を内包するポンプケーシング２５と、回転ランナー２３を回転駆動するポンプモーター２６とを有し、ポンプモーター２６は、ステーター２６ａと、ステーター２６ａの外周に配設したローター３３と、ステーター２６ａとローター３３を収納するモーターカバー２７とを有し、ローター２６ａには、ローター２６ａの内部と外部とを連通する貫通孔３３ｃを形成することにより、ローター３３の外部と内部との空気を循環させて、ローター３３に内包されたステーター２６ａの巻線の発熱を抑制し、安価にポンプ性能の低下を防止する。【選択図】図２
2016106865.tif 000002
【特許請求の範囲】
【請求項１】
外箱内方に揺動自在に支持された水槽と、前記水槽内部に回転自在に配した周壁に多数の小孔を有する洗濯兼脱水槽と、前記水槽内部の洗濯水を処理するポンプとを備え、前記ポンプは、回転ランナーを内包するポンプケーシングと、前記回転ランナーを回転駆動するポンプモーターとを有し、前記ポンプモーターは、ステーターと、ステーターの外周に配設したローターと、前記ステーターとローターを収納するモーターカバーとを有し、前記ローターには、前記ローターの内部と外部とを連通する貫通孔を形成したことを特徴とする洗濯機。
【請求項２】
前記ローターには、貫通孔周縁に切起部を形成したことを特徴とする請求項１に記載の洗濯機。
【請求項３】
前記モーターカバーには、モーターカバーの内部と害部とを連通する通気口を形成したことを特徴とする請求項１または２に記載の洗濯機。
【発明の詳細な説明】
【技術分野】
【０００１】
本発明は、ポンプを有する洗濯機に関するものである。
【背景技術】
【０００２】
従来、この種の洗濯機用のポンプとして、水槽内の洗濯水を吸い上げて洗濯兼脱水槽内の衣類に撒布する循環ポンプが知られており、循環ポンプにおいては、ローターは、ステーターの外周にマグネットを内包した円筒部と、シャフトを締結する円盤部とからなるアウターローター方式とする構成が提案されてきた（例えば、特許文献１参照）。
【０００３】
図６は、特許文献１に記載された従来の洗濯機の循環ポンプの断面図である。
【０００４】
図６において、循環ポンプ７７は、ポンプケーシング２５の内部に回転ランナー２３を有し、ポンプモーター２６の回転軸３１で駆動する。ポンプモーター２６は、ステーター２６ａと、ローター７３と、それらを収納するモーターカバー２７とからなり、ローター７３は、ステーター２６ａの外周にマグネット３２を内包した円筒部７３ａと、回転軸３１を締結する円盤部７３ｂとからなるアウターローター方式とする構成としている。
【０００５】
また、ポンプ部を駆動するポンプモーターの温度上昇を抑制するために、冷却風を起こす羽根をシャフトに連結する構成も提案されている（例えば、特許文献２参照）。
【０００６】
図７は、特許文献２に記載された従来の洗濯機の循環ポンプの断面図である。
【０００７】
図７において、循環ポンプは、ポンプモーター６０のシャフト６１に回転ランナー６２を締結し、その周囲をポンプケーシング６３で格納している。そして、ポンプモーター６０の巻線温度を抑えるための冷却羽根６４をシャフト６１に締結し、ポンプモーターの回転により送風する構成になっている。
【先行技術文献】
【特許文献】
【０００８】
【特許文献１】特開２０１０−１０４４０４号公報
【特許文献２】特開２００８−１５７２５４号公報
【発明の概要】
【発明が解決しようとする課題】
【０００９】
しかしながら、前記特許文献１の構成では、アウターローター方式のローターによってステーターの巻線が内包されているため、ステーターの巻線からの熱放散が不十分となり、ポンプ性能が低下したり、絶縁性能の劣化が進んだりする恐れがあるという課題があった。
【００１０】
また、特許文献２の構成では、ポンプモーターの外に冷却羽根を設ける必要があり、コストがかかるという課題があった。
【００１１】
本発明は、前記従来の課題を解決するもので、アウターローターによって内包されたステーターの巻線の熱放散効率を向上できる安価な循環ポンプを有するドラム式洗濯機を提供することを目的としている。
【課題を解決するための手段】
【００１２】
前記従来の課題を解決するために、本発明の洗濯機は、外箱内方に揺動自在に支持された水槽と、前記水槽内部に回転自在に配した周壁に多数の小孔を有する洗濯兼脱水槽と、前記水槽内部の洗濯水を処理するポンプとを備え、前記ポンプは、回転ランナーを内包するポンプケーシングと、前記回転ランナーを回転駆動するポンプモーターとを有し、前記ポンプモーターは、ステーターと、ステーターの外周に配設したローターと、前記ステーターとローターを収納するモーターカバーとを有し、前記ローターには、前記ローターの内部と外部とを連通する貫通孔を形成したものである。
【００１３】
これによって、ローターの外部と内部の空気を循環させることにより、ローターに内包されたステーターの巻線の発熱を抑制し、安価にポンプ性能の低下を防止することができる。
【発明の効果】
【００１４】
本発明の洗濯機に用いるポンプは、ローターに内包されたステーターの巻線の発熱を抑制でき、安価にポンプ性能の低下を防止することができる。
【図面の簡単な説明】
【００１５】
【図１】本発明の実施の形態１におけるドラム式洗濯機の縦断面図
【図２】同ドラム式洗濯機の循環ポンプの要部断面図
【図３】同ドラム式洗濯機の循環ポンプのローターの斜視図
【図４】本発明の実施の形態２におけるドラム式洗濯機の循環ポンプの要部断面図
【図５】本発明の実施の形態３におけるドラム式洗濯機の循環ポンプの要部断面図
【図６】特許文献１に記載された従来の循環ポンプの要部断面図
【図７】特許文献２に記載された従来の循環ポンプの一部切欠した断面図
【発明を実施するための形態】
【００１６】
第１の発明は、外箱内方に揺動自在に支持された水槽と、前記水槽内部に回転自在に配した周壁に多数の小孔を有する洗濯兼脱水槽と、前記水槽内部の洗濯水を処理するポンプとを備え、前記ポンプは、回転ランナーを内包するポンプケーシングと、前記回転ランナーを回転駆動するポンプモーターとを有し、前記ポンプモーターは、ステーターと、ステーターの外周に配設したローターと、前記ステーターとローターを収納するモーターカバーとを有し、前記ローターには、前記ローターの内部と外部とを連通する貫通孔を形成することにより、ローターの外部と内部の空気を循環させることにより、ローターに内包されたステーターの巻線の発熱を抑制し、安価にポンプ性能の低下を防止することができる。
【００１７】
第２の発明は、第１の発明において、ローターには、貫通孔周縁に切起部を形成することにより、ローターの外部と内部との空気を循環させることにより、ローターに内包されたステーターの巻線の発熱を抑制し、安価にポンプ性能の低下を防止することができる。
【００１８】
第３の発明は、第１または第２の発明において、モーターカバーには、モーターカバーの内部と外部とを連通する通気口を形成することにより、モーターカバーの外部と内部と空気を循環させることにより、モーターカバー内部の熱の放散を促進し、ステーターの巻線の発熱を抑制し、安価にポンプ性能の低下を防止することができる。
【００１９】
以下、発明の実施の形態について、図面を参照しながら説明する。なお、この実施の形態によって本発明が限定されるものではない。
【００２０】
（実施の形態１）
図１は、本発明の実施の形態１におけるドラム式洗濯機の縦断面図であり、図２は、同
ドラム式洗濯機の循環ポンプの要部断面図、図３は、同ドラム式洗濯機の循環ポンプのローターの斜視図を示す。
【００２１】
図１に示すように、本実施の形態にかかわるドラム式洗濯機は、矩形形状のベース枠１の上方に略矩形箱形状の外箱２、および外箱２の上方には操作パネル４や、給水口５を備えたパネル板３を配している。
【００２２】
外箱２の内方には、サスペンション６にて水槽７が揺動自在にベース枠１に支持され、水槽７内部には、周壁に多数の小孔９を有する洗濯兼脱水槽８が回転自在に軸支されている。
【００２３】
外箱２の前方には、洗濯兼脱水槽８の開口１１並びに水槽７の水槽開口１２に対応して蓋体１０を開閉自在に配している。
【００２４】
パネル板３上方の給水口５に接続した給水弁１３からは、洗濯兼脱水槽８および水槽７の内部に洗濯水を供給し、洗濯兼脱水槽８は、水槽７外底部に固着したモータ１４にて回転駆動して洗い動作やすすぎ動作がなされる。
【００２５】
水槽７の底部排水口１５には、排出ホース１６を接続して循環ポンプ１７に配管し、さらに循環ポンプ１７に接続した吐出ホース１８は、上方に延設して水槽開口１２部に配置した撒水口１９より開口１１から内部の衣類２１に洗濯水２０を撒布し、洗剤液を洗濯物に効率良く染み込ませることで洗浄効果を高めるように構成している。
【００２６】
図２の要部断面図に示すように、循環ポンプ１７を構成する洗濯機用ポンプは、排出ホース１６を接続して洗濯水２０を流入する流入口２２と、流入口２２と略直角に配し、吐出ホース１８を接続した吐出口２４を有するポンプケーシング２５と、流入口２２と同軸的に配した回転ランナー２３と、回転ランナー２３を回転駆動するポンプモータ２６とで構成されたいわゆる遠心力タイプのポンプ構成である。
【００２７】
ポンプモーター２６を収納したモーターカバー２７と、ポンプケーシング２５との間には軸受プレート２８を配し、軸受プレート２８とポンプケーシング２５の外周部とはゴム等のＯリング２９を介して水密的に固定し、中心部の回転ランナー２３の回転軸３１とは水封シール３０にて水封している。
【００２８】
回転軸３１は、マグネット３２を有するポンプモーター２６の回転子（ローター）３３を固着し、軸受プレート２８に内設した複数個の軸受３４にて回転支持されている。
【００２９】
回転ランナー２３の形状は、中央ボス部３７を、流入口２２側の先端から略円盤状のランナー基板３６外周部に向けて断面が大きい半径（Ｒ）を有する円弧状スカート部３５を形成する。
【００３０】
また、中央ボス部３７の外周に形成された複数枚の羽根３８は、ランナー基板３６の裏面側（図２における右側）まで延設した延設羽根３９を形成している。
【００３１】
さらに、ランナー基板３６の裏面側（図２における右側）に円筒状リブ４０ａおよび内側円筒状リブ４０ｂを複数条形成し、一方、軸受プレート２８の中央部の水封シール３０を取り付けたボス部４２の外周に、円筒状ラビリンスリブ４１をその先端が円筒状リブ４０ａおよび内側円筒状リブ４０ｂの間で、かつ、端部よりランナー基板３６側に入り込んだオーバーラップとなるように、ラビリンス形状に構成している。
【００３２】
回転ランナー２３の回転軸であり、かつ、ポンプモーター２６の回転軸でもある回転軸３１を軸支した複数個の軸受３４や水封シール３０を支持した軸受プレート２８は、水封シール３０の取付け近傍のポンプモーター２６側に開口部４３を形成し、この開口部４３は、軸受プレート２８に一体形成した水抜き通路４４を介してモーターカバー２７の透孔４５より外方に通じている。
【００３３】
ここで、ローター３３は、内壁にステーター２６ａに対向してマグネット３２を配設する円筒部３３ａと、この円筒部３３ａと回転軸３１とを締結する円盤部３３ｂから成るアウターローター方式となっている。円筒部３３ａには、貫通孔３３ｃを設けている。
【００３４】
図３は、ローター３３を反ポンプ側（図２中右側）から見た斜視図を示している。
【００３５】
図３において、円盤部３３ｂは、その中央部で回転軸３１にかしめ加工などによって強固に締結されている。円盤部３３ｂの外周は、プレス加工することによって円筒部３３ａを一体形成している。円筒部３３ａの円盤部３３ｂ側には、複数のＵ字状の貫通孔３３ｃを設けている。
【００３６】
以上のように構成されたドラム式洗濯機の循環ポンプについて、以下その動作、作用を説明する。
【００３７】
ポンプモーター２６は、アウターローター方式を採用しており、ステーター２６ａの巻線がローター３３に内包されているため、ステーター２６ａの巻線からの熱放散が良好に行なわれない。特に、循環ポンプ１７の循環流量を増加させたり、循環ポンプ１７の駆動時間が長くなると、ステーター２６ａの巻線の放熱が不十分となる。
【００３８】
本実施の形態では、ローター３３の円筒部３３ａの円盤部３３ｂ側に複数の貫通孔３３ｃを設けているので、ローター３３の内部と外部に空気を循環させることができ、巻線を冷却することができる。これにより、ステーター２６ａの巻線の温度上昇によってポンプ性能が低下することを抑制することが可能となる。
【００３９】
なお、貫通孔３３ｃは、本実施の形態１の図３には、２箇所にＵ字状に形成した実施形態を示しているが、２箇所に限定するものではなく、また、Ｕ字状に限定するものでもない。貫通孔３３ｃは、ローターの強度や加工性、冷却性能に合わせて形成する位置、場所を適宜選択することが可能である。また、貫通孔３３ｃは、円盤部３３ｂに形成してもよい。
【００４０】
以上のように、本実施の形態１においては、循環ポンプ１７のポンプモーター２６は、ローター３３に複数の貫通孔３３ｃを設けることにより、ローター３３の外部と内部とに空気を循環させて、ローター３３に内包されたステーター２６ａの巻線の発熱を抑制することができ、安価にポンプ性能の低下を防止することができる。
【００４１】
（実施の形態２）
図４は、本発明の実施の形態２におけるドラム式洗濯機の循環ポンプの要部断面図である。
【００４２】
本実施の形態２は、循環ポンプを構成するポンプモーターのローターの形状以外の構成は、上記実施の形態１と同じであり、実施の形態１と同一構成部品については、同一符号を付して詳細な説明は省略する。
【００４３】
図４に示すように、循環ポンプ５７を構成するポンプモーター５６のローター３３の円
筒部３３ａに、切起部５３ｄを持つ貫通孔５３ｃを形成している。この切起部５３ｄは、貫通孔５３ｃを形成する際のプレス加工で同時に形成することができる。図４では、切起部５３ｄは、軸線方向に切起こし、ポンプケーシング２５側で円筒部５３ａに連結する構成を示している。
【００４４】
貫通孔５３ｃと切起部５３ｄを形成することによって、ローター５３の内部と外部の空気の循環が可能となり、巻線を冷却することができるので、ステーター２６ａの巻線の発熱によってポンプ性能が低下するのを抑制することができる。
【００４５】
なお、切起部５３ｄは、円周方向側で円筒部５３ａに連結するよう構成し、切起部５３ｄに羽根としての機能を持たせてもよい。切起部５３ｄを羽根としての機能を有する形状に形成することにより、ローター３３の内部と外部の空気の循環をより効率よく行なうことが可能となり、巻線の冷却効率を向上させることができる。
【００４６】
また、切起部５３ｄは、外側ではなく、ステーター２６ａとのクリアランスを確保した上でローター５３の内側に切り起こしてもよい。
【００４７】
以上のように、本実施の形態２においては、ローター５３の円筒部５３ａに、切起部５３ｄを有する複数の貫通孔５３ｃを設ける構成としたことにより、ローター５３の外部と内部との空気を循環させて、ローター５３に内包されたステーター２６ａの巻線の発熱を抑制し、安価にポンプ性能の低下を防止することができる。
【００４８】
（実施の形態３）
図５は、本発明の実施の形態３におけるドラム式洗濯機の循環ポンプの要部断面図を示すものである。
【００４９】
本実施の形態３は、循環ポンプを構成するモーターカバーの形状以外の構成は、上記実施の形態１と同じであり、実施の形態１と同一構成部品については、同一符号を付して詳細な説明は省略する。
【００５０】
図５において、循環ポンプ６７を構成するモーターカバー６８には、周側面の下面側に下面部通気口６８ａを形成すると共に、後面（反回転ランナー２３側）下部に後面部通気口６８ｂを形成し、後面部通気口６８ｂには、下方側を開放した庇部６８ｃを形成している。この下面部通気口６８ａ、および後面部通気口６８ｂは、下方を開口する構成とすることにより、上方から水が滴下した場合でも、モーターカバー６８の内部に水が侵入しないように構成している。
【００５１】
この下面部通気口６８ａ及び後面部通気口６８ｂによって、外気をモーターカバー６８の内部に取り入れることができ、取り入れた外気を貫通孔３３ｃによってローター３３の内部に循環させることが可能となり、巻線を効率よく冷却することができるので、ローター３３の巻線の発熱によるポンプ性能の低下を抑制することが可能となる。
【００５２】
なお、本実施の形態３では、モーターカバー６８の周側面と後面にそれぞれ通気口を形成したが、周側面と後面のどちらか一方のみに通気口を形成してもよい。
【００５３】
以上のように、本実施の形態３においては、循環ポンプ６７のポンプモーター６６は、ステーター２６ａとローター３３を収納するモーターカバー６８の下面側に下面部通気口６８ａを形成し、後面側下部に後面部通気口６８ｂを形成する構成としたことにより、モーターカバー６８内に外部の空気を循環させ、モーターカバー６８内部の熱放散を促して巻線の発熱を抑制し、安価にポンプ性能の低下を防止することができる。
【００５４】
なお、本実施の形態１から３は、洗浄効果を高める為に、洗濯水を開口１１から内部の衣類に洗濯水を循環撒布する循環ポンプの構成を例にとり説明したが、水槽７内の洗濯水を機外に排水する排水ポンプに用いてもよい。
【００５５】
また、本発明のポンプは、ドラム式洗濯機以外の縦型洗濯機に搭載しても良い。
【産業上の利用可能性】
【００５６】
以上のように、本発明にかかる洗濯機は、ポンプのローター円筒部に貫通孔を設けたので、別部品の冷却羽根を設けることなく、巻線の発熱を抑制することが可能となるので、ポンプを有する他の洗濯機等の用途に適用できる。
【符号の説明】
【００５７】
２  外箱
７  水槽
８  洗濯兼脱水槽
９  小孔
１４  モータ
１７  循環ポンプ
２２  流入口
２３  回転ランナー
２４  吐出口
２５  ポンプケーシング
２６  ポンプモーター
２６ａ  ステーター
２７  モーターカバー
３１  回転軸
３２  マグネット
３３  ローター
３３ａ  円筒部
３３ｂ  円盤部
３３ｃ  貫通孔
３３ｄ  切起部
５７  循環ポンプ
６６  ポンプモーター
６７  循環ポンプ
６８  モーターカバー
６８ａ  下面部通気口
６８ｂ  後面部通気口
６８ｃ  庇部
【図１】
2016106865.tif 000003
【図２】
2016106865.tif 000004
【図３】
2016106865.tif 000005
【図４】
2016106865.tif 000006
【図５】
2016106865.tif 000007
【図６】
2016106865.tif 000008
【図７】
2016106865.tif 000009